(57)【要約】【課題】閉塞壁部に代わって、吸引口周辺部分の気密性を確保することができる空気調和機の室内機を提供する。【解決手段】本実施形態に係る空気調和機の室内機は、室内機本体内を通過する空気に含まれる塵埃を捕獲するエアフィルタと、前記エアフィルタに付着した塵埃を除去するエアフィルタ清掃装置と、前記室内機本体に着脱可能に取り付けられ、前記エアフィルタから除去された塵埃を収容するダストボックスと、を備える。前記ダストボックスは、前記エアフィルタから除去された塵埃を回収する回収口と、前記回収口から回収した塵埃を収容する収容部と、前記収容部に収容された塵埃を吸引する吸引口と、前記吸引口から塵埃を吸引する際に前記回収口を閉じる蓋部材と、前記エアフィルタの下方において前記吸引口の上方となる位置に設けられた開放口と、前記吸引口を開いた開状態において、前記吸引口と前記開放口との間を閉塞する閉塞部と、を備える。【選択図】図１４
2020122650.tif 000002
【特許請求の範囲】
【請求項１】
室内機本体内を通過する空気に含まれる塵埃を捕獲するエアフィルタと、
前記エアフィルタに付着した塵埃を除去するエアフィルタ清掃装置と、
前記室内機本体に着脱可能に取り付けられ、前記エアフィルタから除去された塵埃を収容するダストボックスと、を備え、
前記ダストボックスは、
前記エアフィルタから除去された塵埃を回収する回収口と、
前記回収口から回収した塵埃を収容する収容部と、
前記収容部に収容された塵埃を吸引する吸引口と、
前記吸引口から塵埃を吸引する際に前記回収口を閉じる蓋部材と、
前記エアフィルタの下方において前記吸引口の上方となる位置に設けられた開放口と、
前記吸引口を開いた開状態において、前記吸引口と前記開放口との間を閉塞する閉塞部と、
を備える空気調和機の室内機。
【請求項２】
前記蓋部材は、前記収容部の内側に備えられており、前記蓋部材の外面が前記収容部の内面に接触して押えられている請求項１に記載の空気調和機の室内機。
【請求項３】
前記蓋部材が前記回収口を開いているときに前記吸引口を閉じる弁部をさらに備え、
前記弁部は、前記蓋部材と一体に設けられ、
前記閉塞部は、前記弁部と一体に設けられ、
前記弁部が前記吸引口と前記開放口との間の中間に回動した状態において、前記閉塞部は、前記吸引口および前記開放口から離間する請求項１または２に記載の空気調和機の室内機。
【請求項４】
前記弁部は、外面に凸部を備える請求項３に記載の空気調和機の室内機。
【発明の詳細な説明】
【技術分野】
【０００１】
本発明の実施形態は、空気調和機の室内機に関する。
【背景技術】
【０００２】
空気調和機の室内機は、室内機本体内の送風路中に熱交換器を備えており、その熱交換器の送風路上流側にエアフィルタを備えている。そして、室内機は、エアフィルタにより、送風路内に吸い込まれた空気に含まれる塵埃を除去し、清浄化された空気を熱交換器に導く。室内機の利用が長期にわたると、エアフィルタに塵埃が堆積する。そのため、ユーザは、適宜の期間間隔でエアフィルタを室内機本体から取り外して、エアフィルタ表面に付着した塵埃を除去する必要がある。
【０００３】
この作業は、手間がかかり面倒であることから、エアフィルタは室内機本体から取り付けられたまま放置されやすい。そこで、エアフィルタを室内機本体から取り外すことなく、室内機本体内においてエアフィルタ表面に付着した塵埃を自動的に除去するエアフィルタ清掃装置を備えた室内機が考えられている。
【０００４】
例えば特許文献１に開示されているエアフィルタ清掃装置は、エアフィルタから除去された塵埃を収容するダストボックスを備える。このダストボックスは、エアフィルタから除去された塵埃を回収する開口部と、この開口部から回収した塵埃を収容する塵埃受け部と、この塵埃受け部に収容された塵埃を吸引するためのノズル挿入孔と、このノズル挿入孔から塵埃を吸引する際に開口部を閉じる可動蓋と、を備える。このダストボックスによれば、掃除機のノズルをノズル挿入孔に挿入することにより、可動蓋により開口部が閉じられ、ノズルから塵埃受け部内の塵埃を吸引して除去することができる。
【先行技術文献】
【特許文献】
【０００５】
【特許文献１】特開２０１３−５７４６０号公報
【発明の概要】
【発明が解決しようとする課題】
【０００６】
ところで、この種のダストボックスにおいては、エアフィルタから除去された塵埃を回収する回収口と、この回収口から回収した塵埃を収容する収容部と、この収容部に収容された塵埃を吸引する吸引口と、を備えることが考えられている。そして、この構成のダストボックスにおいては、収容部に収容された塵埃を吸引する吸引口をエアフィルタの下方に配置することによって、吸引口をエアフィルタの下方から外れた位置、例えばダストボックスの側部から突出した部位に設けた構成に比べ、左右方向の幅寸法を抑えることができ、ダストボックスのコンパクト化、ひいては、室内機全体のコンパクト化を図ることができる。
一方で、この種のダストボックスにおいては、吸引口が開かれた状態、つまり、収容部内の塵埃を吸引する状態における吸引口周辺部分の気密性を高めるために、吸引口の上方を閉塞する閉塞壁部を設けることが考えられている。
そのため、吸引口をエアフィルタの下方に配置し、且つ、閉塞壁部を設けた構成においては、エアフィルタの下方に閉塞壁部が存在する構成となってしまう。そのため、エアフィルタ清掃装置によりエアフィルタから除去された塵埃が閉塞壁部の上部に溜まってしまう。そして、この閉塞壁部には、吸引口からの吸引力が作用しにくく、従って、いったん閉塞壁部に塵埃が溜まってしまうと、その塵埃を吸引して除去することは困難となる。
そこで、ダストボックスは、吸引口をエアフィルタの下方に設ける場合には、エアフィルタの下方において吸引口の上方となる位置に開放口を備える構成とするとよい。即ち、ダストボックスは、閉塞壁部を除去した構成とするとよい。
この構成によれば、閉塞壁部に塵埃が溜まってしまうことがなくなり、エアフィルタから除去された塵埃がダストボックス内に残留してしまうことを回避することができる。
しかし、閉塞壁部を除去してしまうと、収容部内の塵埃を吸引する状態における吸引口周辺部分の気密性が低下してしまい、吸引口からの吸引力を有効に作用させることが困難となる。
【０００７】
そこで、閉塞壁部に代わって、吸引口周辺部分の気密性を確保することができる空気調和機の室内機を提供する。
【課題を解決するための手段】
【０００８】
本実施形態に係る空気調和機の室内機は、室内機本体内を通過する空気に含まれる塵埃を捕獲するエアフィルタと、前記エアフィルタに付着した塵埃を除去するエアフィルタ清掃装置と、前記室内機本体に着脱可能に取り付けられ、前記エアフィルタから除去された塵埃を収容するダストボックスと、を備える。前記ダストボックスは、前記エアフィルタから除去された塵埃を回収する回収口と、前記回収口から回収した塵埃を収容する収容部と、前記収容部に収容された塵埃を吸引する吸引口と、前記吸引口から塵埃を吸引する際に前記回収口を閉じる蓋部材と、前記エアフィルタの下方において前記吸引口の上方となる位置に設けられた開放口と、前記吸引口を開いた開状態において、前記吸引口と前記開放口との間を閉塞する閉塞部と、を備える。
【図面の簡単な説明】
【０００９】
【図１】本実施形態に係る空気調和機の室内機の構成例を示す斜視図
【図２】エアフィルタ清掃装置およびその周辺部分を拡大して示す縦断側面図
【図３】ダストボックスの構成例を示す斜視図
【図４】ダストボックスを分解して示す斜視図
【図５】蓋部材の構成例を示す斜視図
【図６】弁部およびその周辺部分を拡大して示す斜視図
【図７】吸引口およびその周辺部分を拡大して示す斜視図
【図８】吸引口にノズルを差し込んでいない状態の室内機の正面図
【図９】ダストボックスの正面図
【図１０】開放部を備えないダストボックスの構成例を示す吸引口上部周辺の斜視図
【図１１】開放部を備えるダストボックスの構成例を示す吸引口上部周辺の斜視図
【図１２】図９のＡ−Ａ線に沿うダストボックスの縦断側面図であり、吸引口の全閉状態を示す図
【図１３】図９のＡ−Ａ線に沿うダストボックスの縦断側面図であり、吸引口の半開き状態を示す図
【図１４】図９のＡ−Ａ線に沿うダストボックスの縦断側面図であり、吸引口の全開状態を示す図
【図１５】吸引口にノズルを差し込んだ状態の室内機の正面図
【図１６】リブの変形構成例を示す図
【発明を実施するための形態】
【００１０】
以下、空気調和機の室内機に係る一実施形態について図面を参照しながら説明する。図１に例示する室内機１０は、例えば室内の壁の高所に取り付けられるものであり、図示しない室外機とともに空気調和機を構成する。室内機１０の外殻を構成する室内機本体１１は、左右方向に長い長尺な形状をなしており、上部に図示しない空気吸込み口を備え、下部の前部に空気吹出し口１２を備える。空気吹出し口１２には、上下方向に回動可能な上下風向板１３、並びに、左右方向に回動可能な図示しない左右風向板が設けられている。
【００１１】
室内機１０は、空気吸込み口と空気吹出し口１２との間に図示しない送風路を設けている。送風路には、空気吸込み口側である上流側から順に、エアフィルタ１４、図示しない熱交換器、図示しない送風ファン、が備えられている。室内機１０は、送風ファンを駆動することにより、室内の空気を空気吸込み口から吸い込み送風路を通して空気吹出し口１２から室内に吹き出す。空気吸込み口から吸い込まれた空気は、送風路を通過する過程で熱交換器により熱交換され、冷風または温風として空気吹出し口１２から吹き出される。
【００１２】
エアフィルタ１４は、空気吸込み口から吸い込まれて送風路を通過する空気に含まれる塵埃などの異物を捕獲する。図２に例示するように、室内機１０は、エアフィルタ１４に堆積された塵埃を自動的に除去するためのエアフィルタ清掃装置２０を備える。次に、このエアフィルタ清掃装置２０について説明する。
【００１３】
エアフィルタ清掃装置２０は、エアフィルタ送り機構部２１、ブラシユニット２２、ダストボックス２３を備える。エアフィルタ送り機構部２１は、室内機１０内に固定されており、エアフィルタ送りギヤ２１ａ、図示しない駆動機構部を備える。エアフィルタ送りギヤ２１ａは、室内機本体１１の左右方向に沿って複数設けられており、エアフィルタ１４の裏面に設けられている歯部１４ａに噛合している。駆動機構部は、エアフィルタ送りギヤ２１ａの回転軸に連結されている。駆動機構部は、エアフィルタ送りギヤ２１ａを回転させる。このとき、エアフィルタ送りギヤ２１ａがエアフィルタ１４の歯部１４ａに噛合しているので、エアフィルタ送りギヤ２１ａの回転に伴いエアフィルタ１４が上下方向に移動する。
【００１４】
ブラシユニット２２は、図示しない塵埃押上げブラシを備える。塵埃押上げブラシは、その回転軸をエアフィルタ送りギヤ２１ａの回転軸と共用するものであり、エアフィルタ送りギヤ２１ａの間に設けられている。エアフィルタ送りギヤ２１ａは、エアフィルタ１４の縦桟部の裏面に設けられている歯部１４ａに対向する。これに対して、塵埃押上げブラシは、エアフィルタ１４の縦桟部の間に形成されるシート部の裏面に対応し、且つ、接する。塵埃押上げブラシは、円筒体の周面にブラシ毛が植毛された構成である。
【００１５】
ブラシユニット２２は、さらに塵埃除去ブレード２２ａを備える。塵埃除去ブレード２２ａは、回転軸２２ｂの周方向に所定間隔を有して複数条のブレード片２２ｃを備えている。ブレード片２２ｃは、例えばゴム板などといった薄肉の弾性部材で構成され、回転軸２２ｂの軸方向に沿って螺旋状に曲成されている。ブラシユニット２２は、エアフィルタ１４の表面側に位置している。
【００１６】
図３に例示するように、ダストボックス２３は、室内機本体１１の長手方向に沿う長尺な構成要素であり、室内機本体１１に対し着脱可能に取り付けられている。図４に例示するように、ダストボックス２３は、ケース部材３１、カバー部材３２、蓋部材３３、ロック部材３４などを備える。
【００１７】
ケース部材３１は、主としてダストボックス２３の土台部を構成する部材であり、この場合、２枚のエアフィルタ１４を室内機本体１１の左右方向に沿って並べた場合とほぼ同等の長さを有する長尺な部材である。ケース部材３１は、図２に例示する収容部３５の一部、この場合、後部を構成する収容凹部３１ａを有している。また、ケース部材３１は、両端部に軸孔３１ｂを有している。また、ケース部材３１の収容凹部３１ａ内の中央部には、リブ支持台部３１ｃが設けられている。図２に例示するように、リブ支持台部３１ｃは、収容凹部３１ａの内面から僅かに突出する２つの山部と、これら山部間に設けられた滑らかな谷部と、を有する。また、ケース部材３１の一端部には、ほぼ矩形状に開口する吸引口３６が設けられている。
【００１８】
カバー部材３２は、主としてダストボックス２３の前面側を構成する部材であり、ケース部材３１と同様に、２枚のエアフィルタ１４を室内機本体１１の左右方向に沿って並べた場合とほぼ同等の長さを有する長尺な部材である。カバー部材３２は、図２に例示する収容部３５の一部、この場合、前部を構成する収容壁部３２ａを有する。また、カバー部材３２は、収容壁部３２ａから連続して上方に延びる延出壁部３２ｂを有する。
【００１９】
図２に例示するように、ケース部材３１の収容凹部３１ａとカバー部材３２の収容壁部３２ａを組み合わせることにより収容部３５が形成される。また、ケース部材３１の収容凹部３１ａとカバー部材３２の収容壁部３２ａとの間に回収口３７が形成される。回収口３７は、エアフィルタ清掃装置２０によりエアフィルタ１４から除去された塵埃を回収するための開口部である。回収口３７は、ダストボックス２３の長手方向に沿う長尺な矩形の開口部である。収容部３５は、回収口３７から回収される塵埃を収容して溜める。収容部３５は、ダストボックス２３の長手方向に沿うボックス状となっている。
【００２０】
蓋部材３３は、ケース部材３１およびカバー部材３２と同様に、室内機本体１１の左右方向に沿う長尺な部材である。蓋部材３３は、長手方向に直交する断面が円弧状となっている。蓋部材３３は、両端部に回動軸３３ａを備える。蓋部材３３は、回動軸３３ａがケース部材３１の軸孔３１ｂに差し込まれることにより、収容部３５の内側において回動可能に備えられる。収容部３５の内側に備えられた蓋部材３３は、その外面が収容部３５の回収口３７周辺の内面に接触して押えられる。
【００２１】
図５に例示するように、蓋部材３３は、その内面側の長手方向の中央部にリブ４０を備えている。リブ４０は、蓋部材３３の内面から板状に突出している。また、リブ４０は、先細状となっており、その先端部が円弧状に形成されている。図２に例示するように、リブ４０の先端部は、ケース部材３１のリブ支持台部３１ｃに回動可能に当接する。即ち、リブ４０の先端部は、リブ支持台部３１ｃの山部間に挟まれた状態で谷部に回動可能に当接する。蓋部材３３の一端部には、矩形状に開口する吸気孔３３ｂが設けられている。蓋部材３３は、複数、この場合、２つの吸気孔３３ｂを有している。
【００２２】
蓋部材３３の他端部には、弁部５０が一体的に設けられている。即ち、弁部５０は、蓋部材３３とともに一体的に回動する。弁部５０は、板状に設けられており、図６に例示するように、コイルスプリング５１により、吸引口３６を閉じる方向に付勢されている。なお、コイルスプリング５１は、固定部材５２を介してケース部材３１に組み付けられる。弁部５０は、蓋部材３３が回収口３７を開く位置に回動しているときには、吸引口３６を閉じる位置に回動する。また、弁部５０は、蓋部材３３が回収口３７を閉じる位置に回動しているときには、吸引口３６を開ける位置に回動する。図７に例示するように、弁部５０は、その外面に凸部５０ａを備える。この場合、凸部５０ａは、ダストボックス２３の長手方向に延びる線条となっている。
【００２３】
ロック部材３４は、ダストボックス２３の左右両側に分離して２つ設けられ、ダストボックス２３の長手方向に沿ってスライド可能に備えられている。ロック部材３４は、ダストボックス２３の室内機本体１１に対する固定状態のロックあるいは解除をするための部材である。
【００２４】
このように構成された空気調和機の室内機１０により冷房運転あるいは暖房運転などといった運転動作が行われると、室内機本体１１内に吸い込まれた空気がエアフィルタ１４を通過する際に、当該空気に含まれる塵埃がエアフィルタ１４により捕獲される。しかし、室内機１０の利用が長期にわたると、エアフィルタ１４に塵埃が堆積して通風抵抗が増加する。これを放置すると、熱交換効率が低下して、冷房能力や暖房能力に影響が生じるとともに、消費電力が増加する。
【００２５】
そこで、室内機１０によれば、エアフィルタ自動清掃運転が実行可能となっている。エアフィルタ自動清掃運転は、例えば、各種の空調運転の終了後または所定期間が経過するごとに、予め設定された運転モードに従い定期的に実行することができ、また、ユーザによるリモコン操作に基づき強制的に実行することも可能である。
【００２６】
エアフィルタ自動清掃運転によれば、室内機１０の動作全般を制御する図示しない制御装置は、エアフィルタ清掃装置２０のエアフィルタ送り機構部２１に駆動信号を入力してエアフィルタ１４を移動させるとともに、ブラシユニット２２の塵埃押上げブラシと塵埃除去ブレード２２ａを回転させる。これにより、エアフィルタ１４の表面に付着している塵埃は、塵埃押上げブラシのブラシ毛により押し上げられるとともに、塵埃除去ブレード２２ａにより掻き落とされる。これにより、エアフィルタ１４の表面から塵埃が除去されて落下し、ダストボックス２３の回収孔３７を介して回収され、収容部３５内に溜められる。このように、エアフィルタ１４を往復移動させながら、当該エアフィルタ１４に付着している塵埃を塵埃押上げブラシにより押し上げて、塵埃除去ブレード２２ａにより掻き落とす。
【００２７】
ダストボックス２３の収容部３５内に溜められた塵埃は、当該ダストボックス２３を室内機本体１１に取り付けたままの状態で吸引して除去できるようになっている。即ち、ダストボックス２３を室内機本体１１に取り付けたままの状態で、吸引口３６に掃除機のノズルＮを差し込む。すると、ノズルＮの先端部により弁部５０がコイルスプリング５１の付勢力に抗して押し込まれ、これに伴い、吸引口３６が開放され、蓋部材３３が回収口３７を閉じる位置に回動する。これにより、収容部３５は、蓋部材３３により閉塞され、且つ、収容部３５には、蓋部材３３の吸気孔３３ｂから吸引口３６まで連通する空気流路が確立される。この状態で掃除機を駆動すると、収容部３５内には、吸気孔３３ｂから吸引口３６に向かう空気の流れが形成される。この空気の流れにより、収容部３５内の塵埃が吸引口３６側に吸い寄せられ、ノズルＮを通して掃除機に吸引される。
【００２８】
本実施形態に係る空気調和機の室内機１０によれば、回収口３７を開閉する蓋部材３３は、その両端部のみが回転軸３３ａにより支持されており、中央部では回転軸を設けていない。そのため、塵埃を溜める収容部３５内の中央部において、蓋部材３３の回動軸を支持するための複雑な支持構造部を設ける必要が無い。従って、ダストボックス２３の中央部においても吸引口３６からの塵埃の吸引時に空気が流れやすくなり、ダストボックス２３内の塵埃を効率良く吸引することができる。
【００２９】
また、室内機１０によれば、蓋部材３３の中央部にリブ４０を設けた。これにより、軸支されていない蓋部材３３の中央部も十分に支持することができる。特に吸引口３６からの塵埃の吸引時においては、回収部３５内が負圧となることから蓋部材３３の落ち込みが懸念される。室内機１０によれば、リブ４０により蓋部材３３の落ち込みを防止することができる。蓋部材３３の落ち込みを防止できれば、吸引口３６からの塵埃の吸引時における回収部３５内の気密性の低下を抑えることができる。従って、ダストボックス２３内の塵埃を効率良く吸引することができる。
【００３０】
また、蓋部材３３の回動軸を支持するための複雑な支持構造部を備えない構成によれば、構成部品、特にケース部材３１を製造するための金型構造を単純化することができ、製造性の向上を図ることができる。また、複雑な支持構造部を組み立てる必要が無く、ダストボックス２３の組立性の向上を図ることができる。
【００３１】
また、室内機１０によれば、蓋部材３３は、収容部３５の内側に備えられており、蓋部材３３の外面が収容部３５の内面に接触して押えられている。この構成によれば、蓋部材３３が収容部３５の内面に常に接触しながら回動するようになり、従って、回収口３７を閉塞したときの気密性を一層向上することができる。
【００３２】
また、弁部５０は蓋部材３３と一体に設けられている。従って、部品点数の増加を抑えることができ、また、ダストボックス２３の組立てを容易に行うことができる。
また、弁部５０は、その外面に凸部５０ａを備える。この構成によれば、ノズルＮにより弁部５０を押し込む際に、ノズルＮの先端部と弁部５０の外面との間に隙間を確保することができる。これにより、ノズルＮの先端部が弁部５０の外面に密着してしまうことを防止でき、吸引力が不足してしまうことを回避することができる。
【００３３】
ところで、図８および図９に例示するように、吸引口３６をエアフィルタ１４の下方に配置したダストボックス２３によれば、吸引口をエアフィルタの下方から外れた位置、例えばダストボックスの側部から突出した部位に設けた構成に比べ、左右方向の幅寸法を抑えることができ、ダストボックス２３のコンパクト化、ひいては、室内機１０全体のコンパクト化を図ることができる。
【００３４】
一方で、例えば図１０に例示するダストボックスの構成例では、吸引口３６が開かれた状態、つまり、収容部３５内の塵埃を吸引する状態における吸引口３６周辺部分の気密性を高めるために、吸引口３６の上方を閉塞する閉塞壁部１００を設けることが考えられている。
【００３５】
そのため、吸引口３６をエアフィルタ１４の下方に配置し、且つ、閉塞壁部１００を設けた構成においては、エアフィルタ１４の下方に閉塞壁部１００が存在する構成となってしまう。そのため、エアフィルタ清掃装置２０によりエアフィルタ１４から除去された塵埃が閉塞壁部１００の上部に溜まってしまう。そして、この閉塞壁部１００には、吸引口３６からの吸引力が作用しにくく、従って、いったん閉塞壁部１００に塵埃が溜まってしまうと、その塵埃を吸引して除去することは困難となる。
【００３６】
そこで、図１１に例示するように、ダストボックス２３は、吸引口３６をエアフィルタ１４の下方に設ける場合には、エアフィルタ１４の下方において吸引口３６の上方となる位置に開放口６０を備える構成とするとよい。即ち、ダストボックス２３は、図１０に例示する構成から閉塞壁部１００を除去した構成とするとよい。
【００３７】
この構成によれば、閉塞壁部に塵埃が溜まってしまうことがなくなり、エアフィルタ１４から除去された塵埃がダストボックス２３内に残留してしまうことを回避することができる。
【００３８】
しかし、閉塞壁部１００を除去してしまうと、収容部３５内の塵埃を吸引する状態における吸引口３６周辺部分の気密性が低下してしまい、吸引口３６からの吸引力を有効に作用させることが困難となる。
【００３９】
そこで、図１２〜図１４に例示するように、ダストボックス２３は、さらに閉塞部７０を備える構成とするとよい。この場合、閉塞部７０は、弁部５０の先端部を延長することにより構成されており、弁部５０と一体的に設けられている。図１２に例示する状態は、弁部５０が吸引口３６を全閉した全閉状態である。この全閉状態では、閉塞部７０は、吸引口３６の前側の端部の上面に当接する。この全閉状態においては、吸引口３６の上方においてエアフィルタ清掃装置２０によりエアフィルタ１４から塵埃が除去されると、その塵埃が落下して、開放部６０を通して弁部５０の上部に溜まるようになる。
【００４０】
図１３に例示する状態は、弁部５０が吸引口３６を半開きした状態、つまり、弁部５０が吸引口３６と開放口６０との間の中間に回動した半開き状態である。この半開き状態では、閉塞部７０は、吸引口３６の前側の端部の上面から離間し、且つ、開放口６０の前側の端部の下面からも離間する。この中間状態においては、エアフィルタ１４の下部から開放口６０を介して吸引口３６につながる空気の流路が形成される。そのため、吸引口３６からの吸引力が弁部５０の上部にも作用するようになり、上述した全閉状態において弁部５０の上部に溜まった塵埃、および、この半開き状態において開放部６０を通して落下する塵埃を吸引することができる。
【００４１】
図１４に例示する状態は、弁部５０が吸引口３６を全開した全開状態である。この全開状態では、閉塞部７０は、開放口６０の前側の端部の下面に当接する。弁部５０の先端部つまり閉塞部７０が開放口６０の前側の端部の下面に当接することにより、吸引口３６周辺部分の気密性が高められる。そのため、吸引口３６からの吸引力が収容部３５内に有効に作用するようになり、収容部３５内の塵埃を効率良く吸引することができる。即ち、閉塞部７０は、上述した閉塞壁部１００に代わって、吸引口３６周辺部分の気密性を確保する機能を発揮する。
【００４２】
なお、図１２に例示する全閉状態、図１３に例示する半開き状態、図１４に例示する全開状態の切り換えは、図１５に例示するように、吸引口３６に対するノズルＮの差し込み量Ｓを調整することにより切り換えることができる。即ち、吸引口３６にノズルＮを差し込んでいない状態では吸引口３６は全閉状態となり、吸引口３６にノズル３６を差し込むことで吸引口３６は半開き状態となり、さらに吸引口３６に対しノズルＮを奥まで差し込むと吸引口３６は全開状態となる。吸引口３６に対するノズルＮの抜き差しを繰り返すことにより、全閉状態、半開き状態、全開状態の切り換えが繰り返し行われるため、弁部５０の上部に溜まった塵埃および収容部３５内に溜まった塵埃を一層効率良く吸引することができる。
【００４３】
以上の通り、ダストボックス２３は、吸引口３６をエアフィルタ１４の下方に設ける場合であっても、エアフィルタ１４の下方において吸引口３６の上方となる位置に開放口６０を設け、さらに、吸引口３６を全開した全開状態において、吸引口３６と開放口６０との間を閉塞する閉塞部７０を設けることにより、ダストボックス２３内に塵埃が残留してしまうことを回避しつつ、塵埃の吸引時における吸引口３６周辺部分の気密性を確保することができる。よって、ダストボックス２３ひいては室内機１０全体のコンパクト化を図りつつ、ダストボックス２３内に溜まった塵埃を外部に吸引しやすい構成を実現することができる。
【００４４】
なお、本実施形態は、上述した一実施形態に限定されるものではなく、例えば以下のように拡張または変形することができる。
例えば、図１６に例示するように、リブ４０は、その先端部に円筒状の突起４０ａを設ける構成としてもよい。また、リブ４０の形状は、吸引口３６からの塵埃の吸引時における空気の流れを妨げない形状であれば、種々の形状を採用することができる。
【００４５】
弁部５０に設ける凸部５０ａの形状は、例えば十字にするなど、種々の形状を採用することができる。また、弁部５０の外面に、複数の凸部５０ａを設ける構成としてもよい。
本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００４６】
図面中、１０は空気調和機の室内機、１１は室内機本体、１４はエアフィルタ、２０はエアフィルタ清掃装置、２３はダストボックス、３３は蓋部材、３５は収容部、３６は吸引口、３７は回収口、４０はリブ、５０は弁部、５０ａは凸部、６０は開放口、７０は閉塞部を示す。
【図１】
2020122650.tif 000003
【図２】
2020122650.tif 000004
【図３】
2020122650.tif 000005
【図４】
2020122650.tif 000006
【図５】
2020122650.tif 000007
【図６】
2020122650.tif 000008
【図７】
2020122650.tif 000009
【図８】
2020122650.tif 000010
【図９】
2020122650.tif 000011
【図１０】
2020122650.tif 000012
【図１１】
2020122650.tif 000013
【図１２】
2020122650.tif 000014
【図１３】
2020122650.tif 000015
【図１４】
2020122650.tif 000016
【図１５】
2020122650.tif 000017
【図１６】
2020122650.tif 000018